(57)【要約】【課題】  導光体を用いた照明装置において、簡単な構造で均一な照明光のみならずスポット光をも得ることができるようにする。【解決手段】照明装置１において、ＬＥＤ３１と、ＬＥＤ３１からの出射光が入射される入射面２０、入射面２０の逆側に配置された出射面２１および面発光する発光面２２を有する導光体２と、発光面２２に対して直交していない反射面４ａを有しかつ導光体２の出射面２１から出射した光を反射面４ａにより反射させて反射光Ｌ２を導光体２の外部に配光させる反射部４とを設ける。【選択図】  図１１
2017069021.tif 000002
【特許請求の範囲】
【請求項１】
照明装置において、
光源と、
前記光源からの出射光が入射される入射面と、前記入射面の逆側に配置された出射面と、面発光する発光面とを有する導光体と、
前記発光面に対して直交していない反射面を有し、前記光源からの出射光を前記反射面により反射させて反射光を前記導光体の外部に配光させる反射部と、
を備えた照明装置。
【請求項２】
請求項１において、
前記導光体の前記発光面による照射領域の少なくとも一部の領域に前記反射部の前記反射面による反射光が照射されている、
ことを特徴とする照明装置。
【請求項３】
請求項１において、
前記反射部の前記反射面による反射光の少なくとも一部が前記導光体を通らずに前記導光体の外部に配光されている、
ことを特徴とする照明装置。
【請求項４】
請求項１において、
前記導光体が棚板に設けられており、前記棚板の背面側に前記光源が配置されている、
ことを特徴とする照明装置。
【発明の詳細な説明】
【技術分野】
【０００１】
本発明は、照明装置に関し、詳細には、導光体を用いた照明装置に関する。
【背景技術】
【０００２】
照明装置として、たとえば実開平６−３８１１７号公報には、導光板の端面から入射させた光を導光板の上面の光反射層で反射させつつ導光板の下面から均一な光を下方に照射させるようにした照明器具が記載されている（同公報の段落［０００９］および図１参照）。
【発明の概要】
【発明が解決しようとする課題】
【０００３】
上記公報には、ランプを導光板の端面に設けることで導光板の表面に凹凸がないため、導光板の下方の棚に物品を陳列する際の作業がやりやすくなると記載されている（同公報の段落［００１０］参照）。
【０００４】
その一方、光が照射される物品によっては、単なる均一な光を物品全体に照射させるだけでなく、物品の一部にスポット光を照射させたいとする要請もある。
【０００５】
本発明は、このような従来の実情に鑑みてなされたものであり、本発明が解決しようとする課題は、導光体を用いた照明装置において、均一な照明光のみならずスポット光をも得ることができるものを簡単な構造で実現することにある。
【課題を解決するための手段】
【０００６】
本発明に係る照明装置は、光源と、光源からの出射光が入射される入射面、入射面の逆側に配置された出射面、および面発光する発光面を有する導光体と、発光面に対して直交していない反射面を有しかつ光源からの出射光を反射面により反射させて反射光を導光体の外部に配光させる反射部とを備えている（請求項１参照）。
【０００７】
本発明によれば、光源から出射して導光体の入射面に入射した光は、導光体の内部を通りつつ導光体の発光面から照射される。このとき、導光体の発光面が面発光することで均一な照射光（全体照明光）を得ることができる。その一方、導光体の内部を通って導光体の出射面まで到達した光は、反射部の反射面により反射するとともに、反射光が導光体の外部に配光される。この反射光により、部分照明光としてのスポット光を得ることができる。
【０００８】
本発明では、スポット照明用の光源を別途必要とすることなく、全体照明用の光源を用いてスポット光が得られるので、装置全体の構造を簡略化できる。また、反射部の反射面が導光体の発光面に対して直交していないので、反射面による反射光を導光体の外部に配光させることができ、効果的にスポット光が得られる。
【０００９】
本発明では、導光体の発光面による照射領域の少なくとも一部の領域に反射部の反射面による反射光が照射されている（請求項２参照）。
【００１０】
本発明では、反射部の反射面による反射光の少なくとも一部が導光体を通らずに導光体の外部に配光されている（請求項３参照）。
【００１１】
本発明では、導光体が棚板に設けられており、棚板の背面側に光源が配置されている（請求項４参照）。
【発明の効果】
【００１２】
本発明によれば、スポット照明用の光源を別途必要とすることなく、全体照明用の光源を用いてスポット光が得られるので、構造を簡略化できる。
【図面の簡単な説明】
【００１３】
【図１】本発明の一実施例による照明装置が採用された棚を斜め上方から見た前面側の全体斜視図である。
【図２】前記棚（図１）を斜め下方から見た前面側の全体斜視図であって、照明装置を構成する導光体を示している。
【図３】前記棚（図１）を斜め上方から見た背面側の全体斜視図であって、照明装置を構成するＬＥＤユニットを示している。
【図４】前記棚（図１）の背面図であって、前記ＬＥＤユニット（図３）が電源に接続された状態を示している。
【図５】前記ＬＥＤユニット（図３）の全体斜視図である。
【図６】図４のVI-VI線縦断面図であって、照明装置を構成するＬＥＤユニット、導光体および反射部の縦断面を示している。
【図７】前記導光体および反射部（図６）を下方から見た斜視部分図である。
【図８】図６の一部拡大図であって、導光体の出射面および反射部を示している。
【図９】図６の一部拡大図であって、導光体の入射面およびＬＥＤユニットを示すとともに、ＬＥＤユニットからの出射光が導光体の内部を進む様子を示している。
【図１０】図６の一部拡大図であって、ＬＥＤユニットから出射されて導光体の内部を進む光が反射部で反射される様子を示している。
【図１１】前記棚（図１）の棚板に載置された商品が、導光体の発光面からの照射光で全体照明されるとともに、導光体の出射面を出射して反射部で反射した反射光による照射光で部分照明（スポット照明）される状態を示している。
【図１２】図１１において、全体照明の照射領域にスポット照明の照射領域がオーバラップしている状態を示している。
【図１３】前記実施例において反射部を側方から見たときの配置を模式的に示す図である。
【図１４】図１３の変形例であって、反射部の傾きが異なる例を示している。
【図１５】図１３の他の変形例であって、導光体の出射面が傾斜面である例を示している。
【図１６】図１３のさらに他の変形例であって、導光体の出射面が傾斜面であるとともに、反射部が導光体の出射面に装着された例を示している。
【図１７】図１３の別の変形例であって、反射部が２つの反射面を有する例を示している。
【図１８】図１３のさらに別の変形例であって、反射部が凹面鏡である例を示している。
【図１９】前記実施例において反射部を斜め上方から見たときの配置を模式的に示す図であって、反射部による反射光の照射領域を併せて示している。
【図２０】図１９の変形例であって、反射部の長さを変えたものを示すとともに、当該反射部による反射光の照射領域を併せて示している。
【発明を実施するための形態】
【００１４】
以下、本発明の実施例を添付図面に基づいて説明する。
図１ないし図１３は、本発明の一実施例による照明装置を説明するための図である。ここでは、光源としてＬＥＤ（発光ダイオード）を用いたＬＥＤ照明装置を例にとる。
【００１５】
図１ないし図４は、本実施例によるＬＥＤ照明装置が採用された棚を示している。これらの図に示すように、棚１０は、天板（広義の棚板）１０Ａ、底板（広義の棚板）１０Ｂおよび左右の側板１０Ｃから枠状に組み立てられるとともに、背面側に背板１０Ｄが取り付けられており、天板１０Ａ、底板１０Ｂ、各側板１０Ｃおよび背板１０Ｄで囲繞された内部空間が、仕切板１０Ｅおよび棚板（狭義の棚板）１０Ｆによって複数のマスに仕切られている。ここでは、棚１０が４×４マスから構成されたものを例にとるが、これら以外のマス（たとえば２×２マス、１×３マス、４×１マス、１×１マス等）のものでもよい。
【００１６】
天板１０Ａおよび各棚板１０Ｆの下面側には、それぞれ導光体２が設けられている（図２参照）。各導光体２は、天板１０Ａおよび各棚板１０Ｆの各下面をほぼ覆うように配設されている。各導光体２は、たとえばアクリル板から構成されている。また、天板１０Ａおよび各棚板１０Ｆの背面側には、それぞれＬＥＤユニット３が設けられている（図３参照）。各ＬＥＤユニット３は、天板１０Ａおよび各棚板１０Ｆの配設方向に沿って左右方向に延設されている。ここでは、４本のＬＥＤユニット３が設けられた例が示されている。各ＬＥＤユニット３は、それぞれ電源ケーブル１５を介して電源ユニットＰＳに接続されている（図４参照）。
【００１７】
ＬＥＤユニット３は、図５に示すように、長手方向に延びる断面コ字状のベース部材３０と、ベース部材３０の内部に取り付けられるとともに複数のＬＥＤ（光源）３１が搭載された基板３２と、ベース部材３０の前面側開口部を覆う透明または透光性の蓋体３３とを有している。
【００１８】
導光体２は、図６に示すように、ＬＥＤ３１からの出射光が入射される入射面２０と、入射面２０の逆側に配置されるとともに導光体２の内部を通って進んできた光が出射される出射面２１と、下側に配置されるとともに面発光する発光面２２とを有している。発光面２２の逆側に配置される上面２３には、シルクスクリーン印刷等によりたとえば白いドットパターンを形成してなる光反射層２３Ａが形成されている（図１１参照）。入射面２０は、好ましくは、ＬＥＤ３１に対向配置されており、出射面２１は、好ましくは、入射面２０に平行であり、発光面２２に直交している。図６は、各棚板１０Ｆの下面に設けられる導光体２について示しているが、天板１０Ａの下面に設けられる導光体２についても同様の構成を有する。なお、各棚板１０Ｆの上面の前端近傍には、それぞれ凹部１０Ｆａが形成されている。これらの凹部１０Ｆａは、各棚板１０Ｆの上に載置された物品（商品）の一部を収容することにより、各棚板１０Ｆの上に商品を位置決めするとともに、各棚板１０Ｆから商品が脱落するのを防止するために設けられている。
【００１９】
導光体２の出射面２１の前方には、図６ないし図８に示すように、反射部（反射ミラー）４が設けられている。反射部４の反射面４ａ（図８）は、導光体２の発光面２２に直交して配設されておらず、よって、導光体２の入射面２０および出射面２１に対して傾斜して配設されている（図６参照）。導光体２の発光面２２に対する反射面４ａの傾斜角θ（図８）は、たとえば４５°に設定されている。反射部４は、棚板１０Ｆの前端に形成された傾斜面１０Ｆｂ（図７）に装着されており、傾斜面１０Ｆｂの長さと同程度またはこれよりも若干短い長さを有している。
【００２０】
次に、本実施例の作用効果について、図９ないし図１２を用いて説明する。
ＬＥＤ３１から出射して導光体２の入射面２０に入射した光は、導光体２の内部を前方に向かって進むとともに（図９、図１１参照）、導光体２の上面２３の光反射層２３Ａで反射することにより、反射光が導光体２の発光面２２から下方に向かって照射される（図１１参照）。このとき、導光体２の発光面２２が面発光することで均一な照射光（全体照明光）を得ることができる。下方の棚板１０Ｆの上に載置された商品（この例では眼鏡）Ｐは、発光面２２からの照射光Ｌ１によって全体照明される（図１１参照）。
【００２１】
一方、導光体２の内部を通って導光体２の出射面２１まで到達した光は、出射面２１から出射して反射部４の反射面４ａで反射することにより、反射光Ｌ２が導光体２の外部に配光されて下方に向かって照射される（図１０、図１１参照）。この反射光Ｌ２により、部分照明光であるスポット光を得ることができる。下方の棚板１０Ｆの上に載置された商品Ｐの一部（この例では眼鏡のレンズ部分）は、反射面４ａでの反射光Ｌ２によりスポット照明されて強調されることになる（図１１参照）。
【００２２】
ここで、導光体２の発光面２２からの照射光Ｌ１による照射領域を図１２中の領域Ｌ１ａで示し、反射部４の反射面４ａでの反射光Ｌ２による照射領域を同図中の領域Ｌ２ａで示す。図１２に示すように、反射光Ｌ２による照射領域Ｌ２ａは、照射光Ｌ１による照射領域Ｌ１ａの一部の領域とオーバラップしている（同図中の斜線領域Ｓ参照）。
【００２３】
このように本実施例によれば、スポット照明用の光源を別途必要とすることなく、全体照明用の光源を用いてスポット光が得られるので、装置全体の構造を簡略化できる。また、反射部４の反射面４ａが導光体２の発光面２２に直交していない（したがって、入射面２０および出射面２１に対して傾斜している）ので、反射面４ａによる反射光Ｌ２を導光体２の外部に配光させることができ、効果的にスポット光が得られる。
【００２４】
本実施例によれば、光源としてのＬＥＤ３１が天板１０Ａおよび棚板１０Ｆの背面側に設けられており（図１、図３参照）、棚板１０Ｆ上の商品Ｐから離れた位置に配置されているので、光源の熱により商品Ｐを傷めたり、劣化させたりすることがない。また、ＬＥＤ３１が天板１０Ａおよび棚板１０Ｆの背面側に配置されることで、天板１０Ａや棚板１０Ｆの厚みを薄くできるので、美感を向上できる。
【００２５】
本実施例によれば、４本のＬＥＤユニット３の各々が、棚１０において横方向に整列する各マスにそれぞれ対応しているので（図１ないし図４参照）、ＬＥＤユニット３の本数を減らすことができ、これにより、コストを低減できるとともに、メンテナンス性を向上できる。
【００２６】
本実施例によれば、導光体２の発光面２２が面発光することで均一な照射光が得られるので、商品Ｐの形状や色彩の識別性を向上できる。たとえば、商品Ｐがサングラスの場合には、フレーム部分が全体照明されるとともに、レンズ部分がスポット照明されるので、レンズ部分の微妙な色の違いを容易に識別できるようになる。
【００２７】
以上、本発明に好適な実施例について説明したが、本発明の適用はこれに限定されるものではなく、本発明には種々の変形例が含まれる。以下に変形例のいくつかの例を挙げておく。なお、各変形例を示す図面において、前記実施例と同一符号は同一または相当部分を示している。
【００２８】
〔第１の変形例〕
前記実施例では、光源としてＬＥＤを用いたＬＥＤ照明装置を例にとって説明したが、本発明の適用はこれに限定されるものではなく、本発明は、その他の光源を用いた照明装置にも同様に適用可能である。
【００２９】
〔第２の変形例〕
前記実施例では、反射部４の反射面４ａでの反射光Ｌ２による照射領域Ｌ２ａが、導光体２の発光面２２からの照射光Ｌ１による照射領域Ｌ１ａの一部の領域とオーバラップしている例を示したが（図１２参照）、照射領域Ｌ２ａおよびＬ１ａのオーバラップ領域は図１２に示すものには限定されない。
【００３０】
〔第３の変形例〕
前記実施例では、反射部４の反射面４ａの傾斜角θを４５°に設定することにより（図８参照）、反射面４ａでの反射光Ｌ２を真下に（つまり下方の棚板１０Ｆに垂直な方向に）照射するようにした例を示したが（図１３参照）、本発明の適用はこれに限定されない。図１４に示すように、反射面４ａの傾斜角は４５°より小さくてもよい。この場合、反射面４ａでの反射光Ｌ２’の照射方向は、真下ではなく、やや前方（図１４左方）に傾いた方向になって、スポット光の照射領域は真下からやや前側の位置になる。また、これとは逆に、反射面４ａの傾斜角は４５°より大きくてもよい。この場合、反射面４ａでの反射光の照射方向は、同様に真下ではなく、やや後方（図１４右方）に傾いた方向になって、スポット光の照射領域は真下からやや後側の位置になる。
【００３１】
〔第４の変形例〕
前記実施例では、導光体２の出射面２１が入射面２０に平行で、発光面２２に直交している例を示したが、本発明の適用はこれに限定されない。図１５および図１６に示すように、出射面２１’は、発光面２２に直交する入射面２０に対して傾斜した傾斜面であってもよい。図１５に示す例では、出射面２１’との間に隙間ｅを隔てて出射面２１’と平行に反射部４の反射面４ａが配設されており、図１６に示す例では、反射部４は出射面２１’に装着されている。これらいずれの場合においても、出射面２１’から出射した光は、反射部４の反射面４ａで反射し、反射光Ｌ２として導光体２の外部に向かって配光されて下方に照射されるので、この反射光Ｌ２によって、同様にスポット光を得ることができる。
【００３２】
〔第５の変形例〕
前記第４の変形例の図１６に示す例では、反射部４が導光体２と別個に設けられているが、反射部４を設けずに導光体２の出射面２１’を反射面４ａとして用いることにより、導光体２の内部を進んできた光を出射面２１’により下方に全反射させるようにしてもよい。
【００３３】
〔第６の変形例〕
前記実施例では、反射部４の反射面４ａによる反射光Ｌ２のすべてが導光体２を通らずに導光体２の外部に配光されるようにした例を示したが、本発明の適用はこれに限定されない。たとえば、反射面４ａの傾斜角θを調整したり、導光体２の出射面２１を傾斜面としたりすること（第４の変形例）等により、反射光Ｌ２の一部を導光体２の内部に戻した後に外部に配光するようにしてもよい。
【００３４】
〔第７の変形例〕
前記実施例では、反射部４の反射面４ａによる反射光Ｌ２がすべて下方に向かって照射されるようにした例を示したが、本発明の適用はこれに限定されない。反射部４の反射面４ａを上側に向けて配設することにより、反射面４ａによる反射光Ｌ２をすべて上方に向かって照射させるようにしてもよい。
【００３５】
〔第８の変形例〕
前記実施例では、反射部４の反射面４ａによる反射光Ｌ２がすべて下方に向かって照射されるようにした例を示したが、本発明の適用はこれに限定されない。反射部４として、たとえば図１７に示すように、２つの反射面４ａ、４ｂを有するものを用いることにより、反射面４ａによる反射光Ｌ２を下方に向かって照射させるとともに、反射面４ｂによる反射光Ｌ３を上方に向かって照射させるようにしてもよい。
【００３６】
〔第９の変形例〕
前記実施例では、反射部４の反射面４ａが平坦面から構成された例を示したが、本発明の適用はこれに限定されない。図１８に示すように、反射部４の反射面４ａ’は凹面から構成されていてもよい。この場合、反射面４ａ’で反射した反射光Ｌ２”は収束光線となって集光される。また、これとは逆に、反射部４の反射面は凸面から構成されていてもよい。この場合、反射面で反射した反射光は発散光線となって発散される。このように、反射面が凹面または凸面から構成されている場合、反射面は、傾斜角が徐々に変化する微小平面の集まりとみなすことができるので、導光体２の入射面２０に対して傾斜して配設されている（したがって、発光面２２に対して直交していない）といえる。とくに、図１８に示すように、凹面の光軸が導光体２の入射面２０に対して傾斜して配置されている場合には、実使用上の凹面を構成するすべての微小平面が導光体２の入射面２０に対して傾斜して配設される（したがって、発光面２２に対して直交していない）ことになる。
【００３７】
〔第１０の変形例〕
前記実施例では、反射部４が固定された例を示したが、本発明の適用はこれに限定されない。反射部４は水平方向（図１３の紙面垂直方向）の支軸の回りに回動自在に設けられていてもよい。この場合、支軸を回転させることにより、反射部４の反射面４ａの傾斜角を変更できるようになる。
【００３８】
〔第１１の変形例〕
前記実施例では、導光体２が棚板１０Ｆの下面側に設けられた例を示したが、導光体２は棚板１０Ｆの上面側に設けるようにしてもよい。たとえば、前記実施例に示した棚１０を上下逆にして用いるととともに、導光体２の発光面２２の上に商品Ｐを載置するようにすれば、商品Ｐが下方から全体照明されるとともに、下方からスポット照明されることになる。商品Ｐの種類によってはこのような照明方法が適している場合もある。
【００３９】
〔第１２の変形例〕
前記実施例では、反射部４が棚板１０Ｆの傾斜面１０Ｆｂの長さと同程度またはこれよりも若干短い長さＷを有している例を示したが（図７および図１９参照）、図２０に示すように、反射部４は、これよりも短い長さＷ’（＜Ｗ）を有していてもよい。このように、反射部４の長さを変えることにより、反射部４による反射光であるスポット光の照射領域を変更できる（図２０中の照射領域Ｌ２ａ’参照）。
【００４０】
〔その他の変形例〕
上述した実施例および各変形例はあらゆる点で本発明の単なる例示としてのみみなされるべきものであって、限定的なものではない。本発明が関連する分野の当業者は、本明細書中に明示の記載はなくても、上述の教示内容を考慮するとき、本発明の精神および本質的な特徴部分から外れることなく、本発明の原理を採用する種々の変形例やその他の実施例を構築し得る。
【００４１】
〔他の適用例〕
前記実施例では、当該照明装置が、複数のマスを有する棚に適用された例を示したが、本発明の適用はこれに限定されるものではなく、本発明は、これ以外の陳列棚にも適用でき、側板／仕切板のない棚や背板のない棚（たとえば壁面に直付けの棚）にも適用できる。また、本発明は、導光体自体が棚として機能するものにも適用可能である。さらに、本発明は、棚以外の照明装置（たとえば陳列台や陳列テーブル上の商品の照明装置等）にも適用可能である。
【産業上の利用可能性】
【００４２】
本発明は、導光体を用いた照明装置に有用である。
【符号の説明】
【００４３】
１：  ＬＥＤ照明装置（照明装置）
２：  導光体
２０：  入射面
２１：  出射面
２２：  発光面
３：  ＬＥＤユニット
３１：  ＬＥＤ（光源）
４：  反射部
４ａ：  反射面
１０：  棚
１０Ａ：  天板（棚板）
１０Ｂ：  底板（棚板）
１０Ｆ：  棚板
Ｌ１：  照射光   
Ｌ２、Ｌ２’、Ｌ２”、Ｌ３：  反射光
【先行技術文献】
【特許文献】
【００４４】
【特許文献１】実開平６−３８１１７号公報（段落［０００９］、［００１０］および図１参照）
【図１】
2017069021.tif 000003
【図２】
2017069021.tif 000004
【図３】
2017069021.tif 000005
【図４】
2017069021.tif 000006
【図５】
2017069021.tif 000007
【図６】
2017069021.tif 000008
【図７】
2017069021.tif 000009
【図８】
2017069021.tif 000010
【図９】
2017069021.tif 000011
【図１０】
2017069021.tif 000012
【図１１】
2017069021.tif 000013
【図１２】
2017069021.tif 000014
【図１３】
2017069021.tif 000015
【図１４】
2017069021.tif 000016
【図１５】
2017069021.tif 000017
【図１６】
2017069021.tif 000018
【図１７】
2017069021.tif 000019
【図１８】
2017069021.tif 000020
【図１９】
2017069021.tif 000021
【図２０】
2017069021.tif 000022